(57)【特許請求の範囲】
【請求項１】
プラスチック製ラミネートフィルムからなる袋であって、袋１を構成する前パネル２と後パネル３に共通の第一の手提げ孔４、５が形成され、
前パネル２と後パネル３の間に、ポリエチレンシートからなる補強シート６が、第一の手提げ孔４、５を塞ぐ大きさに切断されて挿入されており、
その補強シート６には第一の手提げ孔４、５よりも小さな第二の手提げ孔７が形成されるとともに、その第二の手提げ孔７は第一の手提げ孔４、５の内側に配置され、
第一の手提げ孔４、５を上下から挟むように袋１の両側縁８に直交する口元シール９，１０が行われることにより補強シート６が前パネル２と後パネル３の間に融着されていることを特徴とする手提げ孔付米袋。
【発明の詳細な説明】
【技術分野】
【０００１】  この発明は、手提げ孔が設けられたラミネートフィルム製の米袋において、袋の前後面を構成する前パネルと後パネルの間に、ポリエチレンフィルムからなる補強シートを挟み込んで熱シールするとともにこの補強シートに手提げ孔よりも小さな第二の手提げ孔を設けることにより、米袋をぶら下げたときに発生する力を補強シートに作用させるようにし、柔軟性と延性に優れ、引張り力に強いポリエチレン製の補強シートが若干延び、かつ変形することでラミネートフィルムからなる前後のパネルの手提げ部の亀裂やシワの発生を防ぐことのできる手提げ孔付米袋に関する。
【背景技術】
【０００２】  一般的な米袋の材質は、プラスチック製ラミネートフィルムが主流であり、スーパーマーケットや米販売店で購入して持ち帰るために、手提げ用の孔が設けられたものがある。
ラミネートフィルム製で手提げ孔が設けられた米袋の一例として、特許３４８７３１７号の公報に記載されたものが知られている。
【特許文献１】特許３４８７３１７号公報
【発明の開示】
【発明が解決しようとする課題】
【０００３】  前記特許３４８７３１７号公報に記載された米袋５１は、ラミネートフィルムからなり、図４に示すように一端に把手５２が形成され、口元シール５３と把手シール５４の間に手提げ孔５５が設けられている。この米袋５１は、手提げ孔５５が設けられているので手提げして持ち帰ることができるが、手提げしたときに５ｋｇ〜１０ｋｇもある米の重量により発生する応力を手指で支えるため図５に示すように手提げ孔５５が変形し、手提げ孔５５の上部周縁における手指の人差し指近辺のＸ部及び小指近辺のＹ部に集中するため、その部分が延びて変形し易く、フィルムに亀裂Ｚが入って裂けやすくなる欠点があった。米袋を手提げして歩いている間に亀裂が徐々に大きくなり、ついには手提げ部分が引きちぎられて米袋が落下するおそれがあった。
ラミネートフィルムは丈夫であるため食品包装袋等々に広く利用されているが、力が一点に集中すると裂けて破れやすい欠点が知られており、また多くのシワが発生して見栄えが悪くなる欠点が知られている。【０００４】  上記手提げ孔５５周辺のフィルムが裂けて破れることを防止するために、手提げ孔５５の周囲を５〜１０ｍｍ幅で熱シールして強化する方法も試みられているが、フィルムが熱シールされるとそのシール部分が硬化するため、重い米袋を手提げして歩くときに硬化部分が手指に強く当たり、痛くなることがあった。【０００５】  この発明は、上述の課題を解決するためになされたもので、その目的は、米が充填された重い袋を手提げして歩くとき米の重さによる力が手提げ孔部に作用しても、手提げ孔部に亀裂や大きなシワが発生しないようにするとともに、手に優しく痛くならない米袋を提供することにある。
【課題を解決するための手段】
【０００６】  上記目的を達成するため、米袋を構成する前パネルと後パネルの間に、ラミネートフィルムよりも柔軟性と延性に優れた性質を持つポリエチレンフィルム製の補強シートを挟み込んで熱シールするとともに、その補強シートに前後のパネルに設けられた手提げ孔よりも小さな手提げ孔を設ける。補強シートは前後のパネルの手提げ孔から上下方向に所定の間隔だけ離れた位置で前後のパネルに熱シールされている。
さらに具体的に説明すると、この米袋は、プラスチック製ラミネートフィルムからなる袋であって、袋１を構成する前パネル２と後パネル３に共通の第一の手提げ孔４、５が設けられ、前パネル２と後パネル３の間に、ポリエチレンフィルムからなる補強シート６が第一の手提げ孔４、５を塞ぐ大きさに切断されて挿入されている。
その補強シート６には第一の手提げ孔４、５よりも小さな第二の手提げ孔７が設けられる。その第二の手提げ孔７は第一の手提げ孔４、５の内側に配置され、第一の手提げ孔４、５を上下から挟むように所定の距離だけ離れた位置で袋１の両側縁８に直交する口元シール９と、口元シール１０が行われることにより補強シート６が前パネル２と後パネル３の間に融着されている。
【発明の効果】
【０００７】  上記の構成とすることにより、袋の手提げ孔に手を挿入してぶら下げると、補強シートに設けられた第二の手提げ孔の内周縁に手指が掛かり、前パネルと後パネルに設けられた第一の手提げ孔に手指が掛かることはない。米の重量による応力は第一の手提げ孔の内周縁には直接作用しないため、その内周縁に亀裂やシワが発生しにくい。補強シートは柔軟性と延性に優れるポリエチレンフィルムからなるので、大きな応力が作用してもその部分が適度に延びて亀裂の発生を抑える。また、シワも発生しにくい。
補強シートは第二の手提げ孔の上部周縁が掌と反対側、即ち指先側へＬ字状に折れ曲がって手指に当たる。従って、前パネルと後パネルに設けられた第一の手提げ孔に手指が直接当たることがない。
【発明を実施するための最良の形態】
【０００８】  以下、この発明の実施例を図１ないし図３に示す図面に基づいて説明する。
袋１はラミネートフィルムからなる２枚のシートが前後に重ね合わされたものであり、前パネル２に米の銘柄、後パネル３に精米所名等々が印刷されている。重ね合わされた前パネル２と後パネル３の上部の所定位置に、第一の手提げ孔４（前パネル２）と手提げ孔５（後パネル３）を刃物で打ち抜いて同時加工する。この手提げ孔４、５は従来の手提げ孔よりも大きく形成されるものである。【０００９】  前パネル２と後パネル３を一旦上下に分離し、その間へ第一の手提げ孔４、５を塞ぐ大きさに切断された補強シート６を挿入して後パネル３の内面に重ねた後、位置ズレを防ぐための仮止めを行う。仮止めの方法は、熱によるポイントシール、接着等々あまり強度を必要としない手段でよい。補強シート６の材質は、応力の作用により変形しても亀裂が発生しにくく、手に直接触れても痛さを感じにくい柔軟性と延性に優れたポリエチレンフィルムからなる。【００１０】  続いて前後のパネル２、３に加工された手提げ孔４、５よりも一回り小さく形成された第二の手提げ孔７を補強シート６に刃物で打ち抜く。
第一の手提げ孔４、５の下部周縁４ａ、５ａと第二の手提げ孔７の下部周縁７ａはその位置が一致しているが、第二の手提げ孔７の上部周縁７ｂは第一の手提げ孔４、５の上部周縁４ｂ、５ｂから所定距離だけ下方へ離れた内側に位置している。補強シート６における手提げ孔７の上部周縁７ｂと前後のパネル２、３における手提げ孔４、５の上部周縁４ｂ、５ｂとの距離Ｘは、５ｍｍから２０ｍｍぐらいが好ましい。
上記距離Ｘが小さいと、袋１が米の重量で変形したときに前後のパネル２、３における手提げ孔４、５の上部周縁４ｂ、５ｂが手指の腹に直接当たって痛さを感ずるようになる。【００１１】  手提げ孔４、５が一致するように前パネル２と後パネル３を再び重ね合わせ、フィルムの流れ方向の両側縁に直線状の側縁シール８を行う。続いてフィルムの流れ方向に直角方向に直線状に第一の手提げ孔４、５を挟んで上下に下口元シール９と上口元シール１０を行う。上口元シール１０と若干の距離を保って補強シール１１を行う。補強シール１１は手提げ孔４、５の上部に形成された把手部１２を幅広く取るために行うが、必要としない場合もある。【００１２】  下口元シール９と上口元シール１０が行われた袋体は、ギロチンカッターで一枚ずつカットして単葉の米袋に仕上げるか、もしくは連続してロール状に巻取る。
単葉の袋の場合は、米を充填した後で底シールを行って密封し、ロール状に巻き取られたものでは、米を充填する際にカットして米を充填し、底シールを行って密封する。【００１３】  米が充填された袋１において、手提げ孔４、５、７に手指を通してぶら下げると（図３）、補強シート６の手提げ孔上部周縁６ａが掌と反対側へほぼＬ字状に折れ曲って、その部分が手指に当たり、前後のパネル２、３の手提げ孔４、５の上部周縁４ｂ、５ｂが直接当たることはない。
【図面の簡単な説明】
【００１４】
【図１】は、この発明の実施の形態に係る米袋の構成を示す正面図である。
【図２】は、同米袋の一部を破断した正面図である。
【図３】は、同米袋に米を充填した使用状態における断面図である。
【図４】は、従来の米袋の斜視図である。
【図５】は、同米袋に米を充填した状態の正面図である。。
【符号の説明】
【００１５】１・・・米袋
２・・・前パネル
３・・・後パネル
４・・・手提げ孔
５・・・手提げ孔
６・・・補強シート
７・・・手提げ孔
８・・・側縁シール
９・・・下口元シール
１０・・上口元シール
【図１】
0004618514.tif 000002
【図２】
0004618514.tif 000003
【図３】
0004618514.tif 000004
【図４】
0004618514.tif 000005
【図５】
0004618514.tif 000006